(57)【特許請求の範囲】
【請求項１】
空気調和機の室外機であって、
外郭を構成する筐体と、この筐体の側板に固定されるとともに前記筐体に形成された開口を塞ぐ天板と、取っ手部材と、を備え、
前記側板に、前記取っ手部材の一部が挿入される孔部が形成され、
前記取っ手部材は、前記孔部に挿入される突起部と、前記側板の上端に係合する爪部と、を備え、
前記筐体の側板と前記天板とで前記取っ手部材の一部が挟持されることにより、前記取っ手部材が前記筐体に取り付けられることを特徴とする空気調和機の室外機。
【請求項２】
前記天板と前記側板とを固定する固定部を前記孔部の近傍に設けたことを特徴とする請求項１記載の空気調和機の室外機。
【発明の詳細な説明】
【技術分野】
【０００１】
本発明は、空気調和機の室外機に係り、特に、取っ手の取付構造を簡素化できる技術に関する。
【背景技術】
【０００２】
空調装置の室外機において、運搬用の取っ手部材を筐体に取り付ける構造として、例えば図５に示すように、室外機１０１の側板１０２に取っ手部材１０３を取り付けるため、運搬時に把持するために指を挿入する孔を有する取っ手部材１０３に、複数の突起１０３ａ、１０３ｂ、１０３ｃを形成し、筐体の側板１０２の挿入孔１０４に突起１０４ａ、１０４ｂ、１０４ｃを形成し、これらの複数の突起同士をかみ合わせることにより取っ手部材１０３を側板１０２に挿入固定する技術が知られている（例えば、特許文献１参照）。この室外機１０１では取っ手部材１０３はねじ１０３ｆを介して側板１０２にねじ止め固定される。
【０００３】
また、図６に一部を示す室外機１０５のように、側板１０６の内側かつ上方に向かって斜めに延びる凹部１０７を備える取っ手部材１０８が用いられるものが知られている。この室外機１０５においても、取っ手部材１０８は、ねじ固定等の適宜な固定方法により側板１０６に固定される必要がある。
【特許文献１】特開２００１−２０８３７７号公報
【発明の開示】
【発明が解決しようとする課題】
【０００４】
しかしながら上述した空調装置には次のような問題があった。すなわち、側板に形成された孔部の周縁に複数の突起同士をかみ合わせる技術では、突起の形状が複雑となり側板を形成することが困難であるとともに、金型や部品の製造に係る費用が増大する原因となる。また、内側に向かう凹部を備える取っ手部材は、指が配置されるのに必要な把持部を確保するために筐体内に大きく突出するので、筐体内に配置される熱交換器等の部品の配置が困難となり大型化の原因となる。またこれらはいずれも取っ手部材を側板に固定するための固定構造が別途必要である。
【０００５】
そこで本発明は、取っ手の取り付け構造を簡素化するとともに装置の大型化を防止できる空気調和機の室外機を提供することを目的とする。
【課題を解決するための手段】
【０００６】
本発明の一形態にかかる空気調和機の室外機は、外郭を構成する筐体と、この筐体の側板に固定されるとともに前記筐体に形成された開口を塞ぐ天板と、取っ手部材と、を備え、前記筐体の側板と前記天板とで前記取っ手部材の一部が挟持されることにより、前記取っ手部材が前記筐体に取り付けられ、前記側板に、前記取っ手部材の一部が挿入される孔部が形成され、前記取っ手部材は、前記孔部に挿入される突起部と、前記側板の上端に係合する爪部と、を備えたことを特徴とする。
【発明の効果】
【０００７】
本発明によれば、取っ手の取り付け構造を簡素化するとともに装置の大型化を防止することが可能となる。
【発明を実施するための最良の形態】
【０００８】
［第１実施形態］
以下、本発明の一実施形態にかかる室外機について、図１乃至図３を参照して説明する。なお、各図において適宜構成を省略して概略的に示す。
【０００９】
図１は室外機の斜視図であり、図２は図１のＡ部分を拡大するとともに天板１４を外した状態を示す分解斜視図である。図３は図１におけるＡ部分を拡大して示す断面図である。
【００１０】
図１に示す室外機１０は、外郭を構成する矩形箱状の筐体１１と、この筐体１１内において側板１２の内面に沿って配置された室外熱交換器２０のほか、図示しない送風機、圧縮機などを備えて構成されている。
【００１１】
筐体１１は、前後左右の側板１２と、底板１３および天板１４からなり、これらを互いに組合せて矩形箱状に形成される。ここでは筐体１１の各構成部材は、例えば金属又は樹脂モールド成形品で構成される。
【００１２】
図２は、筐体１１の天板１４を外した状態を示す。ここでは図１中左側の一部分であるＡ部分を拡大して示す。この状態において、底板１３及び左右前後の側板１２が組み合わされて上方に開口するとともに、内部に熱交換器２０等の部材が収容された状態となっている。
【００１３】
天板１４はその外形が矩形状を成す上面部１５と、その外周部分から下方に向かって湾曲する周縁部１６とを備えて構成されている。この周縁部１６が、左右前後の側板１２の上部外側を覆うように配置される。周縁部１６の下端１６ａは室外機１０内側に向かって湾曲している。周縁部１６には、側板１２と固定されるためのねじ孔１４ａが形成され、このねじ孔１４ａを介して側板１２に取り付けられる。
【００１４】
図２に拡大して示す左側の側板１２には、後述する取っ手部材３０の下部突起３３が挿通される角孔１７（孔部）が形成されている。側板１２は、角孔１７より所定距離下方の位置を境として、その上方が内側に、その下方が外側に位置する段差形状を成す。この内側に凹んだ上部側板１２ａの外側に天板１４の周縁部１６が配置されることで、組立状態において取っ手部材３０を挟んで配置される側板１２の下部側板１２ｂと、天板１４の周縁部１６の外面が面一となる。また、側板１２における、取っ手部材３０近傍、すなわち角孔１７の周辺の左右両側には、ねじ固定用（天板１４固定用の）の下孔１８がそれぞれ形成されている。側板１２にはさらに吸込口１９が形成されている。
【００１５】
取っ手部材３０は、側板１２に沿って鉛直方向に延びる板状部材３１と、板状部材３１の上端縁の両端から室外機１０内部に延出して側板１２上端縁に係合される２つの爪部３２と、板状部材３１の下方に延び、側板１２の角孔１７に挿入される下部突起３３と、板状部材３１の下端部から室外機１０外側に延び使用者が運搬する際に掴むための把持部３４とがモールド樹脂等により一体形成されて構成されている。
【００１６】
板状部材３１は、図３に示すように、鉛直方向に延び、内側の面が側板１２の上部側板１２ａの外面に沿うとともに、外側の面が天板１４の周縁部１６内面に沿うように配置される。
【００１７】
２つの爪部３２は板状部材３１の上端における両端部から、それぞれ上方に延び、側板１２の上端縁を乗越えて側板１２の内側下方に向かうように湾曲する湾曲部３２ａと、湾曲部３２ａの先端において断面が三角形状を成すとともに、仮固定された際に側板１２上端において内側上方に傾斜して延出する延出部１２ｅに係合する返し部３２ｂと、をそれぞれ一体に有して構成されている。
【００１８】
下部突起３３は、板状部材３１の下端から角孔１７を通って僅かに内側に延び、さらに側板１２の内面に沿って鉛直方向下方に延びる板状に形成されている。下部突起３３の下端部分の外側の面は、下方ほど室外機１０の内側に位置するように傾斜するテーパ面３３ａを形成する。このテーパ面３３ａによって、角孔１７に下部突起３３を挿入しつつ爪部３２を側板１２の上部に引っ掛ける際の回動動作がスムーズに行われる。
【００１９】
把持部３４は、板状に構成され、板状部材３１の下端部であって下部突起３３の上端部から、側板１２の外側に向かって突出している。把持部３４の下面には、上方に向かって凹み使用者が把持する際に指を配置するための凹部３４ａが形成されている。
【００２０】
取っ手部材３０は、その一部が側板１２と天板１４との間に挟持され、一方が筐体１１の内部に配置されるとともに他の一部が筐体１１の外側へ突出している。
【００２１】
把持部３４の凹部３４ａは側板１２の段差部分１２ｃよりも所定距離上方に離間して配置されている。この段差部分１２ｃと把持部３４下面との間に指が挿入できる程度の距離を確保することができ、内側の下部側板１２ｂと外側の上部側板１２ａとの差である空間を利用して、凹部３４ａを確保することができる。したがって、内側への突出及び外側への突出を最小限とすることができる。
【００２２】
以上説明した室外機１０の筐体１１の組立て手順について説明する。まず、取っ手部材３０を側板１２に仮固定する際の動作について図４及び図３を参照して説明する。
【００２３】
まず、図４に示すように取っ手部材３０を傾斜させ、下部突起３３を側板１２の角孔１７に挿入しながら矢印Ｒで示す方向に向かって回動させる。このとき、爪部３２を側板１２上面に引っ掛けるように回動させる。
【００２４】
この回動により、図３に示すように、板状部材３１が鉛直方向に起立すると、爪部３２の返し部３２ｂが側板１２の上部に係止されるとともに、下部突起３３が側板１２の下部内側に沿って配置される状態となる。以上により取っ手部材３０が側板１２に仮固定される。
【００２５】
ついで、天板１４を上方から筐体１１の開口を覆うように被せ、天板１４の周縁部１６を側板１２の上部の外側に沿って配置させる。このとき、爪部３２の外面が湾曲形状であるため、この湾曲部３２ａがガイドとなり天板１４を側板１２に付ける際の作業性が向上する。また、取っ手部材３０は側板１２に仮固定されているので、天板１４を嵌める際に外れないようになっている。
【００２６】
この状態で、下孔１８とねじ孔１４ａとを介してねじ部材４０により、天板１４と側板１２とをねじ固定する。以上により、取っ手部材３０が天板１４と側板１２とで挟持されて固定される。以上により天板１４が側板１２に固定されると、取っ手部材３０が側板１２及び天板１４に挟持されることにより筐体１１に取り付けられる。把持部３４を持った際には板状部材３１、爪部３２、及び下部突起３３が側板１２に係止される。
【００２７】
本実施形態にかかる室外機１０は以下に掲げる効果を奏する。  
取っ手部材３０を天板１４と側板１２とで取っ手部材３０の一部を挟持して係合させる構成としたため、部品数を減少させて組立て作業を単純化することができる。また、取っ手部材３０の板厚のみの最小限にすることができるため、室外熱交換器２０を側板１２ぎりぎりまで配置することができる。したがって、筐体１１を小型化できる。
【００２８】
側板１２に沿って鉛直方向に延びる板状部材３１と、上部に配置された爪部３２と、下方に伸びる下部突起３３と、外方に延びる把持部３４とを一体に形成したため、把持部３４を持った際に板状部材３１、爪部３２、及び下部突起３３が側板１２に係止されて係合部材としてそれぞれ機能するので、角孔１７に下部突起３３を挿入しながら回動させる簡単な一回の作業で強固な仮固定が可能となる。
【００２９】
また、爪部３２を湾曲形状するとともに下部突起３３にテーパ面３３ａを形成したため挿入が容易である。  
【００３０】
なお、本発明は上記実施形態そのままに限定されるものではなく、実施段階ではその要旨を逸脱しない範囲で構成要素を変形して具体化できる。また、上記実施形態の複数の構成要素を適宜組み合わせて種々の発明を形成してもよい。例えば、実施形態の構成要素を適宜削除してもよく、異なる実施形態にわたる構成要素を組み合わせてもよい。
以下に、本願出願の当初の特許請求の範囲に記載された発明を付記する。
（１）  空気調和機の室外機であって、
外郭を構成する筐体と、この筐体の側板に固定されるとともに前記筐体に形成された開口を塞ぐ天板と、取っ手部材と、を備え、
前記筐体の側板と前記天板とで前記取っ手部材の一部が挟持されることにより、前記取っ手部材が前記筐体に取り付けられることを特徴とする空気調和機の室外機。
（２）  前記側板に、前記取っ手部材の一部が挿入される孔部が形成され、
前記取っ手部材は、前記孔部に挿入される突起部と、前記側板の上端に係合する爪部と、を備えたことを特徴とする（１）記載の空気調和機の室外機。
（３）  前記天板と前記側板とを固定する固定部を前記孔部の近傍に設けたことを特徴とする（２）記載の空気調和機の室外機。
【図面の簡単な説明】
【００３１】
【図１】本発明の一実施形態に係る室外機の外観を示す斜視図。
【図２】図１のＡ部分を拡大して示す分解斜視図
【図３】図１のＡ部分を拡大して示す断面図
【図４】本発明の一実施形態に係る室外機の要部に組立て工程における要部を示す断面図。
【図５】室外機の一例を示す分解斜視図。
【図６】室外機の一例における一部分を示す断面図。
【符号の説明】
【００３２】
１０…室外機、１１…筐体、１２…側板、１４…天板、１４ａ…孔、１５…上面部、
１６…周縁部、１６ａ…下端、１７…角孔、１８…下孔、１９…吸込口、２０…熱交換器、３０…取っ手部材、３１…板状部材、３２…爪部、３２ａ…湾曲部、３３…下部突起、３３ａ…テーパ面、３４…把持部、４０…ねじ部材。
【図１】
0005107026.tif 000002
【図２】
0005107026.tif 000003
【図３】
0005107026.tif 000004
【図４】
0005107026.tif 000005
【図５】
0005107026.tif 000006
【図６】
0005107026.tif 000007